(57)【要約】      （修正有）【課題】極めて簡易な構成で偏向感度の改善及びクロストーク電圧の抑制を実現すると同時にコスト上昇を抑える技術手段を提供する。【解決手段】電子ビームを制御する偏向ヨーク１であって、水平及び垂直方向に電子ビームを偏向する第１偏向手段２と、水平及び垂直方向に電子ビームを偏向する第２偏向手段と、を備え、該第２偏向手段３を構成する水平６及び垂直偏向コイルは第１副コイルと第２副コイルとを備えてなり，該第１副コイルは該第１偏向手段に巻回され，該第２副コイルは該第２偏向手段に巻回され，かつ該第１副コイルと該第２副コイルとは電気的に接続されており、該第１副コイルのインダクタンスをＬＳ１、該第２副コイルのインダクタンスをＬＳ２とした時、０．００５≦ＬＳ１／ＬＳ２≦０．７を満たすことを特徴とした偏向ヨーク。【選択図】  図１
2006100286.tif 000002
【特許請求の範囲】
【請求項１】
電子ビームを制御する偏向ヨークであって，
水平及び垂直方向に電子ビームを偏向する第１偏向手段と、
水平及び垂直方向に電子ビームを偏向する第２偏向手段と、を備え、
該第２偏向手段を構成する水平及び垂直偏向コイルは第１副コイルと第２副コ
イルとを備えてなり，該第１副コイルは該第１偏向手段に巻回され，該第２副コ
イルは該第２偏向手段に巻回され，かつ該第１副コイルと該第２副コイルとは電気的に接続されており、該第１副コイルのインダクタンスをＬＳ１、該第２副コイルのインダクタンスをＬＳ２とした時、
０．００５≦ＬＳ１／ＬＳ２≦０．７
を満たすことを特徴とした偏向ヨーク。
【請求項２】
請求項１記載の偏向ヨークであって、
さらに、０．００７≦ＬＳ１／ＬＳ２≦０．６
を満たすことを特徴とする偏向ヨーク
【請求項３】
請求項１又は２記載の偏向ヨークを用いてビデオ信号を表示する表示装置。
【発明の詳細な説明】
【技術分野】
【０００１】
本発明は、偏向ヨークおよび該偏向ヨークを使用した表示装置に係わる発明である。
【背景技術】
【０００２】
本発明に関連する第1の先行技術としては、（例えば特許文献１の第３図〜第
５図）主コアにトロイダルに水平補助コイル及び垂直補助コイル巻回され、更に
水平補助トランス又は垂直補助トランスを設けて主偏向ヨークからの誘起する電
圧を打消すものであった。
【０００３】
又、本発明に関連する第2の先行技術としては、副偏向ヨークに主偏向ヨーク
のコイルの一部を巻回している（例えば特許文献２の第１図）例が挙げられる。
【０００４】
【特許文献１】特開平０２−１２９８４６号公報  （第３―５図）
【特許文献２】特開２０００−２１３３０号公報  （第１図）
【発明の開示】
【発明が解決しようとする課題】
【０００５】
第1の先行技術は、水平補助トランス又は垂直補助トランスを設ける必要があ
る為に、偏向感度の改善が少ない事と同時に、コスト上昇を招き構成が複雑な為
信頼性の点でも課題があった。また、第２の先行技術においては、副偏向ヨーク
に主偏向ヨークのコイルの一部を巻回している為に、主偏向ヨークの感度改善は
可能であるが、副偏向ヨークの感度改善には何ら寄与出来ないと同時に、主偏向
ヨークから副偏向ヨークへの漏れ磁界によりクロストーク電圧が発生し、副偏向
ヨークの駆動回路に実用上問題が生じていた。
【０００６】
上記の課題を考慮し、本発明の目的は、極めて簡易な構成で副偏向ヨークの偏
向感度の改善及びクロストーク電圧の抑制を実現し、同時にコスト上昇を抑える
技術手段を提供するものである。
【課題を解決するための手段】
【０００７】
上記課題を解決するためには、電子ビームを制御する偏向ヨークであって，水平及び垂直方向に電子ビームを偏向する第１偏向手段と、水平及び垂直方向に電子ビームを偏向する第２偏向手段と、を備え、該第２偏向手段を構成する水平及び垂直偏向コイルは第１副コイルと第２副コイルとを備えてなり，該第１副コイルは該第１偏向手段に巻回され，該第２副コイルは該第２偏向手段に巻回され，該第１副コイルと該第２副コイルとは電気的に接続されており、該第１副コイルのインダクタンスをＬＳ１、該第２副コイルのインダクタンスをＬＳ２とした時、
０．００５≦ＬＳ１／ＬＳ２≦０．７
を満たすように構成すればよい。
【発明の効果】
【０００８】
本発明によれば、安価に、高感度で、低クロストーク電圧が実現出来る偏向ヨークおよび表示装置を得ることができる。
【発明を実施するための最良の形態】
【０００９】
本発明の偏向ヨークおよび陰極線管装置の実施例について、図１から図９を用
いて説明する。図１〜図３において、1は偏向ヨークであり、図示しないが陰極
線管に配置されており、図１で紙面左側が蛍光面側を示し、紙面右側は電子銃側
を示す。２は第１偏向手段、３は第２偏向手段、４１は主コア、４２は第１副コ
ア、５は主水平コイル、６は第２副水平コイル、７１は第１副水平コイル、７２
は第１副垂直コイル、８は主垂直コイルを示す。図１〜図３で示す本発明の特長
は、主コア４１にトロイダルに左右に１対の第１副水平コイル７１、又上下に１
対の第１副垂直コイル７２を巻回し、第１副水平コイル７１の端子７１１は第２
副水平コイル６に直列又は並列に接続され、第１副垂直コイル７２の端子７２１
は第２副垂直コイル４３の端子４３１に直列又は並列に接続されている。ここで
は、コイルはトロイダルに巻くが、もちろん、サドルに巻いても良い。図２にお
いて、左右１対の第１副水平コイル７１及び、上下１対の第１副垂直コイル７２
は各々直列に接続されているが、各々は並列に接続されていても良い。第２偏向
手段３は、径が、第１偏向手段２よりも径が小さく、第１偏向手段よりもより高
精度に電子ビームを偏向する。
【００１０】
また、図４は図２の中で特に異なる部分を抽出して表した図であり、図４で省略している部分は図２と同一部品が装着されている。図４において、図２の第１副水平コイル７１及び第１副垂直コイル７２を分割し、第１副水平コイル７１を７１２と７１３に分割して巻回し、第１副垂直コイル７２を７２２と７２３に分割して巻回している事に特長を有する。図４は、第１副水平コイル７１２、７１３及び第１副垂直コイル７２２、７２３によって形成する磁界分布が均一磁界になり、後述するがクロストーク電圧も低減できるメリットを有する。
【００１１】
又、第１副水平コイル７１及び第１副垂直コイル７２は第１偏向手段２内にお
いてサドル巻で形成しても同様な効果がえられる。
【００１２】
図５は、本発明による他の実施例の偏向ヨークを示し、第１偏向手段２のＡ-Ａ'概略断面図を示す。本発明の大きな特長は、第１副水平コイル７１又は第１副垂直コイル７２近傍の主コア４１の厚みがその他の厚みに比べ薄くなっている事である。特に図７では、主コア４１に段差を設け第１副水平コイル７１又は第１副垂直コイル７２の近傍を薄くしている。この様な形状とする事により、製造しやすい事と、高感度が可能となる。
【００１３】
図６〜図８は、本発明の原理を説明した図であり、特に主水平コイル５、第２副水平コイル６、第１副水平コイル７１を用い説明する。図７，図８で示す主水平コイル５によって発生する漏れ磁界５１は、第１偏向手段２のネック側より第２偏向手段３に配置している第１副コア４２の中を通り、第２副水平コイル６にクロストーク電圧を発生させる。一方図６で示すように、第１副水平コイル７１にはこのクロストーク電圧を打消す方向の電圧が発生するように第１副水平コイル７１の巻方向を設定し、この片側の端子７１１は第２副水平コイル６の片端子に接続されている。従って、端子４２０と端子７１０の両端にはクロストーク電圧が大幅に軽減される為、駆動回路のダイナミックレンジが大幅に改善される。更に、本願発明は図７、図８で示すように、第１副水平コイル７１によって発生する第１副水平磁界７１４と、第２副水平コイル６によって発生する第２副水平磁界６１は紙面下方向で同方向に発生し、同方向の磁界が加算される為感度が大幅に改善するメリットも有する。尚、上記は、主水平コイル５、第２副水平コイル６、第１副水平コイルを用い説明したが、同様な事は主垂直コイル８、第１副垂直コイル７２、第２副垂直コイル４３にも成立する。
【００１４】
図９は、本発明の偏向ヨーク１における第２偏向手段３の偏向感度特性を示した図であり、図９において、ＬＳ１は第１副水平コイル７１のインダクタンスを示
し、ＬＳ２は第２副水平コイル６のインダクタンスを示し、縦軸は第２偏向手段
３の相対電力指数を示す。ＬＳ１およびＬＳ２は、コアへのコイルの巻き数によ
り変化する。ＬＳ１の値は、主コア４１に１−８回（好ましくは、２−６回また
は、３−４回）トロイダルに巻いた値を示し、ＬＳ２の値は、第１副コア４２に
同じタイプのコイルを１０−５０回（好ましくは、１５−４０回または２０−３
０回）巻いた値を示す。即ち、横軸における０は、ＬＳ１が０の点つまり、第１
副水平コイルが存在しない場合を示す。ここから、ＬＳ１を増やすことで、相対
偏向電力指数が減少に向かう。これは、第２偏向手段３について少ない電力にて
駆動されることを意味し、第２偏向手段３の感度を向上させることに寄与する。
さらにＬＳ１を増加させると、相対偏向電力指数は増加に向かう。図９において
、一般的には相対偏向電力指数は５％以上の改善があれば、水平駆動回路９５及
び垂直駆動回路９６の損失改善に効果があり、駆動回路の放熱板を小さく出来る
。従ってこの場合、図９に示すように、最適値１として、０．００５≦ＬＳ１／
ＬＳ２≦０．７に設定すれば良い。
【００１５】
更に、一般的には相対偏向電力指数が１０％以上の改善があれば図１０におけ
る水平駆動回路９５及び垂直駆動回路９６のトランジスタの定格を１ランク小さ
くする事が可能となり、大幅なコスト低減が可能となる。従ってこの場合、図９
に示すように最適値２として０．００７≦ＬＳ１／ＬＳ２≦０．６に設定すれば
良い。
【００１６】
一方、図１で示す本発明の偏向ヨーク１は、第１偏向手段２は蛍光面側（図示
せず）に最も近い位置に配置させ、第２偏向手段３は蛍光面側に最も遠い位置に
配置させている。第２偏向手段３は第１偏向手段２に比べコア内径が小さい為に
、偏向感度は良い。この様な配置とすれば図９で示した特性を容易に実現出来る
。
【００１７】
又図１で示すように、本願は第１偏向手段２を構成する主コア４１の管軸方向
端部に溝を設けており、第１副水平コイル７１及び、第１副垂直コイル７２の取
り付け位置精度を大幅に向上出来る。主コア４１の管軸方向端部の溝は、両端に
設けても良いし、何れか一方の溝に設けても良い。
【００１８】
図１０は、本発明の偏向ヨーク１を備え陰極線管装置を示す構成図であって、
９は陰極線管、９１は高圧回路、９２はビデオ回路、９３は水平偏向回路、９４
は垂直偏向回路、９５は水平駆動回路、９６は垂直駆動回路、９７はビデオ信号
入力端子、９８は水平同期信号入力端子、９９は垂直同期信号入力端子である。
偏向ヨーク１は、実施例１の偏向ヨークである。
【００１９】
ビデオ信号入力端子９７からはビデオ信号が入力され、ビデオ回路９２で処理
した後、陰極線管９のカソードに供給される。水平同期信号入力端子９８からは
水平同期信号が入力され、これが水平偏向回路９８に供給されて水平偏向電流が
形成され、偏向ヨーク１の主水平コイル５に供給される。また、この水平同期信
号は高圧回路９１に供給され、陰極線管９のアノードに高圧が加わる。垂直同期
信号入力端子９９からは垂直同期信号が入力され、これが垂直偏向回路９４に供
給されて垂直偏向電流が形成され、偏向ヨーク１の主垂直コイル８に供給される
。このようにして、陰極線管装置が駆動される。この陰極線管装置に本願の偏向
ヨーク１を適用することで、安価な方法で高感度で、低クロストーク電圧が実現
出来る為に、第２偏向手段３に接続される水平駆動回路９５、垂直駆動回路９６
の損失を大幅に低減出来る陰極線管装置が得られる。
【図面の簡単な説明】
【００２０】
【図１】偏向ヨークの概略横断面図
【図２】偏向ヨークの概略Ａ-Ａ'断面図
【図３】偏向ヨークの概略Ｂ-Ｂ'断面図
【図４】偏向ヨークの概略Ａ-Ａ'断面図
【図５】偏向ヨークの概略Ａ-Ａ'断面図
【図６】実施例の原理説明図
【図７】実施例の原理説明図
【図８】実施例の原理説明図
【図９】実施例の偏向感度特性図
【図１０】実施例の陰極線管装置を示すブロック図
【符号の説明】
【００２１】
１  偏向ヨーク、２  第１偏向手段、３  第２偏向手段、４１  主コア、４２  
第１副コア，５  主水平コイル、６  第２副水平コイル、７１、７１２，７１３
第１副水平コイル、７２、７２２，７２３  第１副垂直コイル、４３  第２副
垂直コイル、８  主垂直コイル、９  陰極線管、９１  高圧回路、９２  ビデオ
回路、９３  水平偏向回路、９４  垂直偏向回路、９５  水平駆動回路、９６  
垂直駆動回路、９７  ビデオ信号入力端子、９８  水平同期信号の入力端子、９
９  垂直同期信号の入力端子
【図１】
2006100286.tif 000003
【図２】
2006100286.tif 000004
【図３】
2006100286.tif 000005
【図４】
2006100286.tif 000006
【図５】
2006100286.tif 000007
【図６】
2006100286.tif 000008
【図７】
2006100286.tif 000009
【図８】
2006100286.tif 000010
【図９】
2006100286.tif 000011
【図１０】
2006100286.tif 000012